(57)【要約】    【課題】  複数の階調を有する赤色、緑色及び青色を混合して多様な色相を表示するカラー液晶表示装置の色再現率を向上し得る液晶表示装置及びその色再現率向上方法を提供しようとする。    【解決手段】  複数のゲートラインとデータラインとが交差して、赤色、緑色及び青色画素がマトリックス状に配列される液晶表示パネル200と、前記各ゲートラインに走査信号を印加するゲート駆動部240と、複数の階調を有する赤色、緑色及び青色中少なくとも一つの色に対して階調が増加することで、色再現率が低下する階調から最上位階調までの階調値として、色再現率が低下する直前の階調の階調値が保存されるルックアップテーブル260と、前記ルックアップテーブル260の階調値により画像情報を補正するデータ処理部270と、前記データ処理部270から補正された画像情報の入力を受けて前記液晶表示パネル200の各データラインに印加するデータ駆動部250と、を含んで液晶表示装置を構成する。【選択図】図１
2004212981.tif 000002
【特許請求の範囲】
【請求項１】
複数のゲートラインとデータラインとが交差して、赤色、緑色及び青色の画素がマトリックス状に配列される液晶表示パネルと、前記各ゲートラインに走査信号を印加するゲート駆動部と、複数の階調を有する赤色、緑色及び青色中少なくとも一つの色に対して階調が増加することで、色再現率が低下する階調から最上位階調までの階調値として、色再現率が低下する直前の階調の階調値が保存されるルックアップテーブルと、前記ルックアップテーブルの階調値により画像情報を補正するデータ処理部と、前記データ処理部から補正された画像情報の入力を受けて前記液晶表示パネルの各データラインに印加するデータ駆動部と、を含んで構成されることを特徴とする液晶表示装置。
【請求項２】
前記ルックアップテーブルには、青色の階調値が保存されることを特徴とする請求項１記載の液晶表示装置。
【請求項３】
前記青色の階調は、64ビットであることを特徴とする請求項２記載の液晶表示装置。
【請求項４】
前記青色は、52ビットの階調から色再現率が低下することを特徴とする請求項３記載の液晶表示装置。
【請求項５】
前記ルックアップテーブルに保存された青色の階調52ビットから最上位階調64ビットまでの階調値は、51ビットの階調値と同様であることを特徴とする請求項４記載の液晶表示装置。
【請求項６】
前記ルックアップテーブルに保存された52ビットから64ビットまでの階調値は、赤色、緑色及び青色中少なくとも二つの階調値が混合されて保存されることを特徴とする請求項５記載の液晶表示装置。
【請求項７】
複数の階調を有する赤色、緑色及び青色中少なくとも一つの色に対して階調を増加しながら、液晶表示パネルに表示されるカラーを測定して色再現率が低下した階調を検出する段階と、前記色再現率が低下した階調から最上位階調までの階調値として、色再現率が低下する直前の階調の階調値を保存する段階と、前記階調値により画像情報を補正する段階と、前記補正された画像情報を液晶表示パネルの各データラインに印加する段階と、を行うことを特徴とする液晶表示装置の色再現率向上方法。
【請求項８】
前記色再現率が低下した階調は、64ビットの階調を有する青色の52ビットの階調であることを特徴とする請求項７記載の液晶表示装置の色再現率向上方法。
【発明の詳細な説明】
【技術分野】
【０００１】
本発明は、液晶表示装置及びその色再現率向上方法に係るもので、詳しくは、複数の階調を有する赤色(red)、緑色(green)及び青色(blue)を混合して多様な色相を表示するカラー液晶表示装置の色再現率を向上し得る液晶表示装置及びその色再現率向上方法に関するものである。
【背景技術】
【０００２】
最近、画像を表示する各カラー表示装置中、薄膜型平板表示装置は、軽量でいつどこでも容易に使用できるという長所があるため、集中的に開発されている。特に、液晶表示装置は、解像度が高くて、動画像を充分実現できるほど反応速度が速いため、最も活発に研究されている。
【０００３】
前記液晶表示装置は、液晶の光学的異方性及び分極性質を利用したものである。即ち、方向性を有する液晶分子の配向方向を分極性を利用して人為的に調節することで、配向方向による光学的異方性で光を透過及び遮断することができ、これを応用してカラー表示装置として使用する。現在、薄膜トランジスタ及びそれに連結された画素電極が行列方式に配列された能動マトリックス液晶表示装置は、優れた画質を提供することから、最も多く使用されている。以下、一般的な液晶表示装置の構造について説明する。
【０００４】
前記液晶表示装置の一方側のパネル(即ち、カラーフィルタパネル)は、透明基板上の画素に、赤色、緑色及び青色のカラーフィルタが順次配置された構造となっている。それらカラーフィルタ間にはブラックマトリックスが網状に形成され、前記カラーフィルタ上には共通電極が形成されている。
【０００５】
又、前記液晶表示装置の他方側のパネル(即ち、薄膜トランジスタアレイパネル)は、行列方式に設計された画素に各画素電極が配列された構造となっている。前記画素電極の水平方向には信号配線が形成され、垂直方向にはデータラインが形成されている。又、前記画素電極の一方側の隅には、画素電極を駆動するための薄膜トランジスタが形成されているが、該薄膜トランジスタのゲート電極は信号配線(以下、ゲートラインと称す)に連結され、薄膜トランジスタのソース電極はデータラインに連結されている。
【０００６】
又、前記各ゲートライン及びデータラインの端部には、外部の駆動回路と連結するためのパッド部が形成されている。
【０００７】
このようにカラーフィルタパネル及び薄膜トランジスタアレイパネルは、所定の間隔(以下、セル-ギャップ(cell  gap)と称す)を有して相互に対向して付着され、その間に液晶層が形成されて液晶表示パネルを構成する。
【０００８】
以下、このように構成された液晶表示パネル及びその駆動部について、図面に基づいて説明する。
【０００９】
図7は一般的な液晶表示パネル及びその駆動部の概略的なブロック構成を示した例示図で、図示されたように、外部からの画像情報DATA[R、G、B]及び制御信号CSはインターフェース部110を通してタイミング制御部120に印加され、システム電源電圧VCCはタイミング制御部120及び電源部130に印加される。
【００１０】
又、前記タイミング制御部120は、ゲート駆動部140に制御信号CSを供給し、データ駆動部150に画像情報DATA[R、G、B]及び制御信号CSを供給する。このとき、タイミング制御部120は、制御信号CSとして所定のクロック信号、ゲートスタート信号及びタイミング信号を供給して、ゲート駆動部140及びデータ駆動部150の駆動タイミングを制御する。
【００１１】
一方、前記電源部130は、前記システム電源VCCの入力を受けてゲート駆動部140にゲートオン/オフ電圧VG-ON、VG-OFFを供給し、データ駆動部150に基準電圧VREFを供給し、液晶表示パネル100の共通電極に共通電圧VCOMを供給する。
【００１２】
又、前記ゲート駆動部140は、タイミング制御部120の制御信号CS及び電源部130のゲートオン/オフ電圧VG-ON、VG-OFFが印加されて、液晶表示パネル100のゲートラインに走査信号を順次供給する。
【００１３】
一方、前記データ駆動部150は、前記タイミング制御部120から供給される画像情報DATA[R、G、B]及び制御信号CSと、前記電源部130から供給される基準電圧VREFが印加されて、液晶表示パネル100のデータラインに画像情報を供給する。
【００１４】
従って、前記液晶表示パネル100の単位画素がマトリックス状に配列され、前記ゲート駆動部140を通して供給される走査信号によって、データ駆動部150を通して供給される画像情報DATA[R、G、B]を表示する。
【００１５】
前記液晶表示装置は、赤色、緑色及び青色の画像情報DATA[R、G、B]を液晶表示パネル100の対応する単位画素にそれぞれ供給し、それら3個の画素が液晶表示パネル100の画面で一つのドット(dot)と定義され、赤色、緑色及び青色の混合されたカラーが表示される。
【００１６】
一般に、液晶表示装置は、自然色に近接したカラーを表示するために、前記赤色、緑色及び青色が複数の階調を有するようにし、それら複数の階調を有する赤色、緑色及び青色を混合して多様なカラーを表示している。即ち、前記赤色、緑色及び青色の3原色のみを使用する場合、23個(即ち、黒色、赤色、緑色、青色、白色、赤色+緑色、緑色+青色、青色+赤色)の8種類の色相を表示できるが、前記赤色、緑色及び青色が8ビットの階調を有する場合、224個の16,777,216種類の色相を表示できる。
【００１７】
図8は自然系の全ての色を定量的に示したx、y色度図で、色度座標の位置によって色相及び色飽和度を表現する。
【００１８】
図8に示したように、馬蹄状に示された閉曲線C-100の線上及びその内部は、人間の目で感じる色の全体範囲を示し、"R、G、B"と表示された頂点によって定義された三角形領域T-100は、NTSC蛍光体により表示できる赤色、緑色及び青色の各頂点を連結した色再現領域を示している。
【００１９】
又、"R1、G1、B1"と表示されたグラフは、液晶表示装置により赤色、緑色及び青色に対して階調別にカラーを表示し、これを測定した色度座標の位置を連結したグラフである。
【００２０】
即ち、液晶表示装置により赤色の階調を順次増加しながら表示する場合、色度図のR1-グラフのような分布を有し、緑色の階調を順次増加しながら表示する場合、色度図のG1-グラフのような分布を有し、青色の階調を順次増加しながら表示する場合、色度図のB1-グラフのような分布を有するようになる。
【００２１】
このとき、前記青色の階調が増加する場合、B1-グラフの端部では、NTSC蛍光体の色再現領域T-100の"B"頂点から遠ざかるy値変動が発生する。これは、青色の階調が増加すると、NTSCで定めた色再現率が却って低下することを意味する。
【００２２】
以下、このように青色の階調が増加することで、色再現率が低下する現象について説明する。
【００２３】
図9は液晶表示装置のセル-ギャップによる赤色、緑色及び青色の透過度の差を示したGooth-Tarry曲線を示したグラフである。
【００２４】
図示されたように、液晶表示装置の赤色、緑色及び青色は、可視光線領域で相互異なる波長を有するため、液晶表示装置のセル-ギャップ及び屈折率によって透過率の差が表れ、これによって色の歪曲が発生する。
【００２５】
特に、青色の場合は、透過率が正常なセル-ギャップで却って減少するため、図8に示された色度図のB1-グラフの端部でy値変動を起こすことになる。
【発明の開示】
【発明が解決しようとする課題】
【００２６】
以上説明したように、従来の液晶表示装置においては、青色の階調が増加する場合、色再現率が却って低下するという不都合な点があった。
又、液晶表示装置の画質が低下することで消費者の不満が増大し、表示装置の市場における液晶表示装置の競争力が低下するという不都合な点があった。
【００２７】
本発明は、このような従来の課題に鑑みてなされたもので、複数の階調を有する赤色、緑色及び青色を混合して多様な色相を表示するカラー液晶表示装置の色再現率を向上し得る液晶表示装置及びその色再現率向上方法を提供することを目的とする。
【課題を解決するための手段】
【００２８】
このような目的を達成するため、本発明に係る液晶表示装置は、複数のゲートラインとデータラインとが交差して、赤色、緑色及び青色の画素がマトリックス状に配列された液晶表示パネルと、前記各ゲートラインに走査信号を印加するゲート駆動部と、複数の階調を有する赤色、緑色及び青色中少なくとも一つの色に対して階調が増加することで、色再現率が低下する階調から最上位階調までの階調値として、色再現率が低下する直前の階調の階調値が保存されるルックアップテーブルと、前記ルックアップテーブルの階調値により画像情報を補正するデータ処理部と、前記データ処理部から補正された画像情報の入力を受けて、前記液晶表示パネルの各データラインに印加するデータ駆動部と、を含んで構成されることを特徴とする。
【００２９】
又、本発明に係る液晶表示装置の色再現率向上方法は、複数の階調を有する赤色、緑色及び青色中少なくとも一つの色に対して階調を増加しながら、液晶表示パネルに表示されるカラーを測定して色再現率が低下した階調を検出する段階と、前記色再現率が低下した階調から最上位階調までの階調値として、色再現率が低下する直前の階調の階調値を保存する段階と、前記階調値により画像情報を補正する段階と、前記補正された画像情報を液晶表示パネルの各データラインに印加する段階と、を行うことを特徴とする。
【発明の効果】
【００３０】
以上説明したように、本発明に係る液晶表示装置及びその色再現率向上方法は、複数の階調を有する青色に対して階調を増加しながら、液晶表示パネルに表示されるカラーを測定して色再現率が低下する時の階調を検出し、ルックアップテーブルに、色再現率が低下する直前の階調の階調値を色再現率が低下する階調から最上位階調までの階調値として保存し、これによって画像情報を補正することで、青色の階調が増加する場合、色度図のy値変動が発生して色再現率が低下する現象を防止し得るという効果がある。
【００３１】
又、液晶表示装置の画質が改善されて、消費者の満足感が増大し、よって、表示装置の市場における液晶表示装置の競争力を向上し得るという効果がある。
【発明を実施するための最良の形態】
【００３２】
以下、本発明の実施の形態について、図面に基づいて説明する。
図1は本発明に係る液晶表示装置の第1実施形態のブロック構成を示した例示図で、図2は本発明に係る液晶表示装置の色再現率向上方法の第1実施形態を示したフローチャートである。
【００３３】
図示されたように、外部から画像情報DATA[R、G、B]及び制御信号CSがインターフェース部210を通してタイミング制御部220に印加され、システム電圧VCCがタイミング制御部220及び電源部230に印加される。
【００３４】
又、前記タイミング制御部220は、ゲート駆動部240及びデータ駆動部250に制御信号CSを供給し、データ処理部270に画像情報DATA[R、G、B]を供給する。このとき、タイミング制御部220は、制御信号CSとして所定のクロック信号、ゲートスタート信号及びタイミング信号を供給して、ゲート駆動部240及びデータ駆動部250の駆動タイミングを制御する。
【００３５】
又、前記電源部230は、システム電圧VCCの入力を受けてゲート駆動部240にゲートオン/オフ電圧VG-ON、VG-OFFを供給し、データ駆動部250に基準電圧VREFを供給し、液晶表示パネル200の共通電極に共通電圧VCOMを供給する。
【００３６】
又、前記ゲート駆動部240は、タイミング制御部220の制御信号CS及び電源部230のゲートオン/オフ電圧VG-ON、VG-OFFが印加されて、液晶表示パネル200のゲートラインに走査信号を順次供給する。
【００３７】
一方、ルックアップテーブル260は、複数の階調を有する青色に対して階調を増加しながら、前記液晶表示パネル200に表示されるカラーを測定して、色再現率が低下する時の階調を検出する。
【００３８】
例えば、64ビット(bit)の階調を有する青色に対して階調を増加しながら、前記液晶表示パネル200に表示されるカラーを測定すると、図3のルックアップテーブル260に保存される階調値から分かるように、階調が増しても階調値が上らなくなる、即ち色再現率が低下する階調は52ビットである。
【００３９】
従って、図3のルックアップテーブル260には、色再現率が低下する直前の階調である51ビットの階調値50が、色再現率の低下する階調の52ビットから最上位階調の64ビットまでの階調値として保存される。
【００４０】
一方、前記データ処理部270は、前記ルックアップテーブル260に保存された階調値により前記タイミング制御部220から供給される画像情報DATA[R、G、B]を補正する。例えば、前記データ処理部270は、タイミング制御部220から供給される画像情報DATA[R、G、B]において青色の階調が52ビットより大きい場合、該当ビットの階調値を前記ルックアップテーブル260に保存された階調値である50に補正する。
【００４１】
又、前記データ駆動部250は、前記データ処理部270から補正された画像情報DATA[R、G、B]及び前記電源部230から基準電圧VREFが印加されて、前記タイミング制御部220から印加される制御信号CSにより前記ゲート駆動部240及び駆動タイミングが制御され、前記液晶表示パネル200の各データラインに補正された画像情報DATA[R、G、B]を供給する。
【００４２】
以上説明したように、本発明に係る液晶表示装置及びその色再現率向上方法の第1実施形態は、複数の階調を有する青色に対して階調を増加しながら、液晶表示パネルに表示されるカラーを測定して、色再現率が低下する時の階調を検出し、ルックアップテーブルに、色再現率が低下する直前の階調の階調値を色再現率が低下する階調から最上位階調の階調値として保存することで、画像情報を補正するようになる。
【００４３】
従って、図4に示したように、青色の階調を順次増加しながら表示する場合、B11-グラフのような分布を有するようになる。即ち、図8のB1-グラフの端部でy値変動が発生する現象を防止することで、色再現率が低下する現象を防止できる。
【００４４】
一方、図5は図3に示されたルックアップテーブル260の青色の階調値と赤色及び緑色の階調値とを混合した例を示した例示図である。
【００４５】
図示されたように、図3と同様に、64ビットの階調を有する青色に対して階調を増加しながら、液晶表示パネルに表示されるカラーを測定して色再現率が低下する階調である52ビットを検出し、ルックアップテーブル360には、色再現率が低下する直前の階調である51ビットの階調値50が、色再現率の低下する階調である52ビットから最上位階調である64ビットまでの階調値として保存される。
【００４６】
然し、図5のルックアップテーブル360では、前記青色の色再現率が低下する階調である52ビットから64ビットまで青色の階調値50を保存して、緑色の階調値である1、1、2、2、3、3、4、4、5、5、6、6、7を順次混合し、53ビットから64ビットまでの赤色の階調値である1、1、2、2、3、3、4、4、5、5、6、6を順次混合する。
【００４７】
このように、複数の階調を有する青色の色再現率が低下する直前の階調の階調値は、色再現率が低下する階調から最上位階調までの階調値として保存され、赤色及び緑色の階調値が混合される場合、階調が増加することで液晶表示パネルに表示される青色は、図6のB21-グラフのような分布を有するようになる。即ち、B21-グラフの端部は、図4のB11-グラフの端部に比べて図8に示したNTSC蛍光体の色再現領域T-100の"B"頂点に近づくことで、本発明の第1実施形態に比べて色再現率をより向上することができる。
【図面の簡単な説明】
【００４８】
【図１】本発明に係る液晶表示装置の第1実施形態のブロック構成を示した例示図である。
【図２】本発明に係る液晶表示装置の第1実施形態の色再現率向上方法を示したフローチャートである。
【図３】図1において、64ビットの階調を有する青色の階調が増加することで、ルックアップテーブルに保存される階調値を示した例示図である。
【図４】図3において、ルックアップテーブルに保存された階調値により青色の階調を順次増加しながら表示したグラフを示した例示図である。
【図５】図1において、64ビットの階調を有する青色の階調が増加することで、ルックアップテーブルに保存される赤色、緑色及び青色の階調値を示した例示図である。
【図６】図5において、ルックアップテーブルに保存された階調値により青色の階調を順次増加しながら表示したグラフを示した例示図である。
【図７】一般的な液晶表示パネル及びその駆動部の概略的なブロック構成を示した例示図である。
【図８】自然系の全ての色を定量的に示したx、y色度図である。
【図９】液晶表示装置のセル-ギャップによる赤色、緑色及び青色の透過度の差を示したGooth-Tarry曲線を示したグラフである。
【符号の説明】
【００４９】
200：液晶表示パネル
210：インターフェース部
220：タイミング制御部
230：電源部
240：ゲート駆動部
250：データ駆動部
260：ルックアップテーブル
270：データ処理部
DATA[R、G、B]：画像情報
CS：制御信号
VCC：システム電源電圧
VG-ON、VG-OFF：ゲートオン/オフ電圧
VREF：基準電圧
VCOM：共通電圧
【図１】
2004212981.tif 000003
【図２】
2004212981.tif 000004
【図３】
2004212981.tif 000005
【図４】
2004212981.tif 000006
【図５】
2004212981.tif 000007
【図６】
2004212981.tif 000008
【図７】
2004212981.tif 000009
【図８】
2004212981.tif 000010
【図９】
2004212981.tif 000011